(57)【要約】【課題】  放送番組に関連するウェブページへのアクセスを簡単かつ確実に実行する。【解決手段】  放送局側で、付加情報に番組に関連するウェブページのアドレス情報を組み込んで伝送し、受信装置で受信した放送信号から付加情報を分離抽出して、関連ウェブページのアドレス情報が含まれていれば、その旨画面表示してユーザに通知し、ユーザがＨＴＭＬブラウザを立ち上げることで、関連ウェブページにアクセスしてウェブページの情報をダウンロードして画面表示するように構成した。  また、閲覧中のウェブページのアドレスが、付加情報に含まれるウェブページアドレス情報と一致しない場合に、番組とは関連しないウェブページを閲覧中であることをユーザに通知するようにした。【選択図】  図６
2005192006.tif 000002
【特許請求の範囲】
【請求項１】
放送番組と関連するウェブページのアドレス情報を含む付加情報と前記放送番組を構成する信号が多重伝送される放送を受信する受信手段と、
前記受信手段で受信された受信信号から前記アドレス情報を分離抽出する情報抽出手段と、
この情報抽出手段で抽出されたアドレス情報のウェブページを含むウェブサーバにアクセスして前記抽出されたアドレス情報のページから情報を取得して閲覧する手段と、
を具備したことを特徴とする放送受信装置。
【請求項２】
放送番組と関連するウェブページのアドレス情報を含む付加情報と前記放送番組を構成する信号が多重伝送される放送を受信する受信手段と、
前記受信手段で受信された受信信号から前記アドレス情報を分離抽出する情報抽出手段と、
この情報抽出手段で抽出されたアドレス情報を記憶する記憶手段と、
ウェブサーバにアクセスして所定のウェブページから情報を取得して閲覧する手段と、
前記記憶手段に記憶されたアドレス情報と、前記閲覧中のウェブページのアドレスを比較し、その比較結果を報知する制御手段と、
を具備したことを特徴とする放送受信装置。
【請求項３】
前記受信手段で受信した信号中に前記ウェブページのアドレス情報が含まれる場合に、それを報知する手段を備えたことを特徴とする請求項１に記載の放送受信装置。
【請求項４】
前記制御手段は、前記記憶手段に記憶されたアドレス情報と、前記閲覧中のウェブページのアドレスが異なる場合に、閲覧中のウェブページが放送番組とは関係がないことを報知するものであることを特徴とする請求項２に記載の放送受信装置。
【請求項５】
放送番組と関連するウェブページのアドレス情報を含む付加情報と前記放送番組を構成する信号を多重して伝送する送信装置と、
前記放送番組と関連する情報を有するウェブページを含むウェブサーバと、
前記送信装置で送り出された信号を受信する受信手段及びこの受信手段で受信された受信信号から前記アドレス情報を分離抽出する情報抽出手段及び前記ウェブサーバにアクセスして前記抽出されたアドレス情報のページから情報を取得して閲覧する手段を有する受信装置と、
でなることを特徴とする放送番組関連情報取得システム。
【請求項６】
放送番組と関連するウェブページのアドレス情報を含む付加情報と前記放送番組を構成する信号を多重して伝送する送信手段と、
この送信手段で送出された信号を受信する受信手段と、
前記放送番組と関連する情報を有するウェブページを含むウェブサーバと、
この受信手段で受信された受信信号から前記アドレス情報を分離抽出する情報抽出手段と、
この情報抽出手段で抽出されたアドレス情報を記憶する記憶手段と、
ウェブサーバにアクセスして所定のウェブページから情報を取得して閲覧する手段と、
前記記憶手段に記憶されたアドレス情報と、前記閲覧中のウェブページのアドレスを比較し、その比較結果を報知する制御手段と、
を具備したことを特徴とする放送番組関連情報取得システム。
【請求項７】
前記受信手段で受信した信号中に前記ウェブページのアドレス情報が含まれる場合に、それを報知する手段を備えたことを特徴とする請求項５に記載の放送番組関連情報取得システム。
【請求項８】
前記制御手段は、前記記憶手段に記憶されたアドレス情報と、前記閲覧中のウェブページのアドレスが異なる場合に、閲覧中のウェブページが放送番組とは関係がないことを報知するものであることを特徴とする請求項６に記載の放送番組関連情報取得システム。
【発明の詳細な説明】
【技術分野】
【０００１】
本発明は、デジタル放送で放送される番組に関連した情報をウェブ（ＷWeb）ページから得るようにした放送番組受信装置に関し、特に多重伝送される付加情報に番組放送内容に関連するウェブページのアドレス情報を組み込んで伝送することで、簡単な操作でウェブページにアクセスすることが可能になるようにした放送受信装置及び放送番組関連情報取得システムに関する。
【背景技術】
【０００２】
デジタルテレビジョン放送の実施に伴い、ユーザの視聴形態が、提供される番組を一方的に受けるものから、ユーザが放送事業者に対して応答を返すという、情報のやり取りを双方向で行なう形態に変わりつつある。
【０００３】
ユーザが放送事業者に応答を行なう手段としては、電話回線を用いたものが一般であり、テレビジョン受像機に内蔵されたモデムを介して放送事業者に情報を伝送している。
【０００４】
一方で、電話回線を用いたインターネットサービスも一般家庭に広く普及してきており、必要な情報が簡単に取得できるようになってきている。
【０００５】
インターネットを日頃から使っているユーザが、放送番組を視聴した場合に、番組の内容をさらに掘り下げて詳しい情報を取得したという要求は自然の成り行きで発生するものと考えられる。そのような場合、ユーザは、その番組が終わるのを待って、パソコンを立ち上げて、インターネットで情報を取得するという作業を行なうことになる。
【０００６】
電話回線を用いた通信手段を具備したテレビジョン受像機において、折角備えられている通信手段を放送事業者への情報の応答のみに限定して使うことは有効活用とは言えず、例えば受像機内にブラウザソフトを組み込んで、インターネットによって情報を取得できるようにすれば、番組を見ていて詳細を知りたい事項が出てきた場合に、即インターネットにアクセスすることができ、例えば、受像機の画面を２つに分けて、片側でブラウザを表示するように構成すれば、番組を見ながら、情報を取得することができる。
【０００７】
しかしながら、インターネットによる検索は、場合によっては相当な時間が掛かることがあり、より簡単に情報を取得したいという要望も強いものと考えられる。
【０００８】
従来、特許文献１には、放送番組に関連したウェブページに簡単にアクセスできるようにするために、番組に関連したウェブページのアドレス情報を纏めたデータベースを備えたサーバを用意し、このサーバのデータベースから、関連ウェブページのアドレスを取得して、関連情報を提供するウェブページにアクセスして情報を取得するようにした提案がなされている。
【０００９】
しかしながら、この特許文献１の提案の場合、関連ウェブページのアドレスを纏めたデータベース有するサーバが必要であって、装備が複雑になり、データベースのメンテナンスを適正に実行しないと有効な情報を得ることができない。さらにサーバ自身のアドレスが変更になった場合には、データーベースそのものにアクセスすることができなくなるという問題が発生する可能性もある。
【特許文献１】特開２００３−１８５７５号公報（第１４〜１９頁、図６）
【発明の開示】
【発明が解決しようとする課題】
【００１０】
以上のように、従来、放送番組に関連するウェブページのアドレス情報を蓄えたサーバを用意して、そのサーバから得たアドレス情報で関連ウェブページにアクセスして情報を得るようにした提案がなされているが、サーバが必要で装備が複雑となり、メンテナンスを適正に行なわなければ、有効なシステムとなり得ないという問題を有している。
【００１１】
本発明は、以上の点に鑑みてなされたものであり、デジタル放送番組に多重伝送される付加情報にウェブページアドレス情報を組み込んで伝送し、受信側でこれを受けて、アドレス情報を取得してウェブページにアクセスできるように構成することで、最新かつ適切なアドレス情報を簡単かつ確実に取得して、ウェブページにアクセスすることが可能な放送受信装置及び放送番組関連情報取得システムを提供することを目的とする。
【課題を解決するための手段】
【００１２】
本発明の放送受信装置は、放送番組と関連するウェブページのアドレス情報を含む付加情報と前記放送番組を構成する信号が多重伝送される放送を受信する受信手段と、前記受信手段で受信された受信信号から前記アドレス情報を分離抽出する情報抽出手段と、この情報抽出手段で抽出されたアドレス情報のウェブページを含むウェブサーバにアクセスして前記抽出されたアドレス情報のページから情報を取得して閲覧する手段と、を具備したことを特徴とする。
【００１３】
また、本発明の放送受信装置は、放送番組と関連するウェブページのアドレス情報を含む付加情報と前記放送番組を構成する信号が多重伝送される放送を受信する受信手段と、前記受信手段で受信された受信信号から前記アドレス情報を分離抽出する情報抽出手段と、この情報抽出手段で抽出されたアドレス情報を記憶する記憶手段と、ウェブサーバにアクセスして所定のウェブページから情報を取得して閲覧する手段と、前記記憶手段に記憶されたアドレス情報と、前記閲覧中のウェブページのアドレスを比較し、その比較結果を報知する制御手段と、を具備したことを特徴とする。
【００１４】
さらに、本発明の放送番組関連情報取得システムは、放送番組と関連するウェブページのアドレス情報を含む付加情報と前記放送番組を構成する信号を多重して伝送する送信装置と、前記放送番組と関連する情報を有するウェブページを含むウェブサーバと、前記送信装置で送り出された信号を受信する受信手段及びこの受信手段で受信された受信信号から前記アドレス情報を分離抽出する情報抽出手段及び前記ウェブサーバにアクセスして前記抽出されたアドレス情報のページから情報を取得して閲覧する手段を有する受信装置と、でなることを特徴とする。
【００１５】
さらにまた、本発明の放送番組関連情報取得システムは、放送番組と関連するウェブページのアドレス情報を含む付加情報と前記放送番組を構成する信号を多重して伝送する送信手段と、この送信手段で送出された信号を受信する受信手段と、前記放送番組と関連する情報を有するウェブページを含むウェブサーバと、この受信手段で受信された受信信号から前記アドレス情報を分離抽出する情報抽出手段と、この情報抽出手段で抽出されたアドレス情報を記憶する記憶手段と、ウェブサーバにアクセスして所定のウェブページから情報を取得して閲覧する手段と、前記記憶手段に記憶されたアドレス情報と、前記閲覧中のウェブページのアドレスを比較し、その比較結果を報知する制御手段と、を具備したことを特徴とする。
【発明の効果】
【００１６】
本発明によれば、放送番組に関連するウェブページのアドレス情報が多重伝送されるため、適切なウェブページに確実にアクセスすることができるようになるものである。
【発明を実施するための最良の形態】
【００１７】
以下、図面を参照しながら本発明の放送受信装置の一実施の形態を詳細に説明する。  
図１は、本発明の放送受信装置１００の一実施の形態を示す回路ブロック図である。図１において、１０１はアンテナであり、放送電波をキャッチして放送信号として導出する。アンテナ１０１からの放送信号は、アンテナ入力端子１０２を介してチューナ１０３に供給され、ここでチャンネルの選局が行なわれ、選択されたチャンネルの受信信号が復調部１０４で復調されて、誤り訂正等の処理を施され、ＭＰＥＧ（Moving Picture Experts Group）２のＴＳ（Transport Stream）としてデマルチプレクサ１０５に供給される。
【００１８】
デマルチプレクサ１０５では、ＴＳを構成する各種パケットをパケット毎に分離抽出して出力する。例えば番組を構成するＰＥＳ（Packetized Elementary Stream）は、デコーダ１０６に供給されて、ここでデコードされる。ＰＥＳに含まれる映像パケットは例えばＭＰＥＧ２規格に基づいて復号されで、非圧縮のデジタル映像信号として重畳部１０７に導出される。
【００１９】
重畳部１０７には、ＯＳＤ（On Screen Display）信号生成部１０８からのＯＳＤ信号も供給されており、デコーダ１０６からのデジタル映像信号に、ＯＳＤ信号生成部１０８で生成されるＯＳＤ信号を重畳して出力する。あるいは、重畳部１０７は、デコーダ１０６の出力と、ＯＳＤ信号生成部１０８の出力を択一的に切換えて出力するか、または両出力がそれぞれ画面の半分を構成するように組合わせて出力する。
【００２０】
重畳部１０７の出力は、映像信号処理部１０９に供給されてここで、適宜処理が施されて、表示部に１１０に供給されてその画面に表示される。
【００２１】
また、デコーダ１０６は、ＰＥＳに含まれる音声パケットもデコードして非圧縮のデジタル音声信号として音声信号処理部１１１に出力する。音声信号処理部１１１によって、音声信号に適宜処理を施した後、スピーカ等で構成される音声出力部１１２から音声として出力する。
【００２２】
以上のようにして、放送番組を受信して、その視聴をすることが可能となるが、実際の放送番組の視聴には、例えばチューナ１０３による選局チャンネルの特定等、放送受信装置１００を構成する各部の動作、機能を調整する必要があり、そのために制御部１１３が設けられている。
【００２３】
制御部１１３は、例えばＭＰＵ（Micro Processing Unit）で構成され、チューナ１０３のチャンネル切換え、デマルチプレクサ１０５のパケット分離抽出、デコーダ１０６のデコード、重畳部１０７の制御、映像信号処理部１０９の制御及び音声信号処理部１１１の制御等を行なう。このため、制御部１１３には、各種処理プログラムが格納されたＲＯＭ（Read Only Memory）１１４、ワークメモリとしてのＲＡＭ（Random Access Memory）１１５の他、設定用のデータを保存するための不揮発性メモリ１１６が接続されている。なお、ＲＯＭ１１４には、ＯＳＤ信号生成部１０８でＯＳＤ信号を生成するための、文字、記号、キャラクタ等のデータも保存されている。
【００２４】
さらに制御部１１３は、ＴＳに組み込まれる付加情報の例えばＳＩ（Service Information）を、デマルチプレクサ１０５を介して抽出するＳＩ情報抽出部１１３ａを機能として有し、さらに後述するように放送局側から例えばＳＩに含めて伝送される番組関連ウェブページのアドレス情報を、ＳＩから抽出するウェブページアドレス抽出部１１３ｂを機能として備えている。
【００２５】
また、さらに制御部１１３は、例えばＲＯＭ１１４に格納されたＨＴＭＬ（Hypertext Markup Language）ソフトを起動して、ＯＳＤ信号生成部１０８を介して、ブラウザを構成する画像信号を重畳部１０７に送って、これを表示部１１０で表示する機能を備える。
【００２６】
さらに、制御部１１３には、通信Ｉ／Ｆ（Interface）１１７が、通信端子１１８との間に接続されており、この通信Ｉ／Ｆ１１７を介してインターネット１１９と接続されて、インターネット１１９に接続されたウェブサーバ１２０にアクセス可能に構成されている。
【００２７】
さらに、制御部１１３には、赤外線受光部１２１と操作入力部１２２が接続されており、赤外線受光部１２１は、リモートコントローラ１２３からのリモコン信号を受けてこれを制御部１１３に導出する。また、操作入力部１２２は、放送受信装置１００の例えば前面パネルに設けられた複数のスイッチ構成され、リモートコントローラ１２３と併せて、ユーザが放送受信装置１００の機能の切換え、調整、動作設定等を行なう際に操作されるものである。
【００２８】
図２にリモートコントローラ１２３のキー配置の例を示す。図２に示すように、リモートコントローラ１２３は、チャンネル切換え、あるいは数字データ入力時等に使用する数字キー２０１と、カーソルキー２０２と、カーソル２０２で選択した項目を登録するための決定キー２０３を有し、さらに、処理を終了させる終了キー２０４と、表示画面を戻す際等に使用される戻るキー２０５と及びＨＴＭＬブラウザを立ち上げるためのインターネットキー２０６を有する。
【００２９】
さて、本発明は、放送局側からＳＩの情報の一つとして、テレビジョン番組に関連するウェブページアドレスが伝送されることが前提となっており、それを実現するための形態の一例を図３に基づいて簡単に説明する。
【００３０】
図３において、送信装置３００には、テレビジョン番組の映像信号源３０１と同じく番組の音声信号源３０２が設けられ、それぞれ符号化／パケット化部３０３，３０４で圧縮符号化されると共にパケット化されてＴＳ多重化部３０５に導出される。
【００３１】
さらに、ＳＩを含む付加情報を発生する付加情報源３０６からのデータがパケット化部３０７でパケットに変換されてＴＳ多重化部３０５に導出される。ＳＩには、テレビジョン番組を構成する映像あるいは音声に関連するウェブページのＵＲＬ（Uniform Resource Locator）が含まれる。
【００３２】
さらにデータ放送用のコンテンツ３０８が用意され、このコンテンツもパケット化部３０９でパケットに変換されてＴＳ多重化部３０５に導出される。
【００３３】
ＴＳ多重化部３０５は、供給された各パケットデータを纏めてＴＳとして構築し、変調器３１０に供給する。変調器３１０で変調を施した後、送信部３１１でＲＦ（Radio Frequency）信号に変換されて送信される。
【００３４】
図３に示す送信装置３００によって送り出された放送信号は、前述のように、チューナ１０３、復調部１０４，デマルチプレクサ１０５、デコーダ１０６、重畳部１０７、映像信号処理部１０９を介して、その映像信号が表示部１１０で表示される。
【００３５】
また、このとき、制御部１１３は、デマルチプレクサ１０５の出力から、ＳＩ情報抽出部１１３ａによってＳＩを分離抽出し、これを解読してＳＩの中に、ＵＲＬが含まれているか監視する。
【００３６】
そして、ＵＲＬが含まれていることを検出したら、制御部１１３は、「関連ウェブページのアドレスを入手できます」とのメッセージ文字列情報をＯＳＤ信号生成部１０８で生成させて、重畳部１０７でデコーダ１０６からの映像信号に重畳させて、表示部１１０で表示させる。
【００３７】
ユーザが、その関連ウェブページの閲覧を要望する場合、リモートコントローラ１２３のインターネットキー２０６を操作すると、制御部１１３は、ウェブページアドレス抽出部１１３ｂで抽出された関連ウェブページのＵＲＬを不揮発性メモリ１１６に記憶させた後、ＨＴＭＬブラウザ１１３ｃを立ち上げて、それをＯＳＤ信号生成部１０８を介して重畳部１０７に送り、表示部１１０で表示させる。
【００３８】
制御部１１３は同時に通信Ｉ／Ｆ１１７を動作させ、インターネット１１９を介してウェブサーバ１２０にアクセスして、不揮発性メモリ１１６に記憶されたＵＲＬのウェブページの情報をダウンロードしてＨＴＭＬブラウザ１１３ｃを介して、表示部１２０に表示させる。
【００３９】
図４は、テレビジョン番組視聴中に関連ウェブページのアドレスを入手できる旨のメッセージが表示された例を示すものである。
【００４０】
すなわち、表示部１１０の表示画面４０１の左上部分に「関連ウェブページのドレスを入手できます」とのメッセージ４０２が表示されている。
【００４１】
図４に示すようなメッセージが表示されている状態において、ユーザが例えばリモートコントローラ１２３のインターネットキー２０６を操作すると、ＵＲＬが不揮発性メモリ１１６に記憶されされると共に、ＨＴＭＬブラウザ１１３ｃが起動し、さらに通信Ｉ／Ｆ１１６を介してウェブサーバ１２０から、そのＵＲＬのウェブページの情報がダウンロードされ、ＨＴＭＬブラウザ１１３ｃによって表示部１１０で表示されるようになる。
【００４２】
図５に、表示部１１０にＨＴＭＬブラウザが表示された例を示す。表示部１１０の画面５０１の右半分に、ブラウザ５０２が表示されており、左半分に放送番組の映像５０３が表示されている。
【００４３】
ブラウザ５０２の表示画面の大きさを変える場合には、例えば、カーソルキー２０２を操作してブラウザ５０２にカーソルを移動させておいて、決定キー２０３を操作すれば、ブラウザ５０２のみの画面表示とすることが可能であり、その逆も可能である。
【００４４】
また、ブラウザ５０２は、リモートコントローラ１２３のカーソルキー２０２と決定キー２０３を使って、ページ繰り等の操作を行なうことができるものである。
【００４５】
また、ＨＴＭＬブラウザ１１３ｃによる閲覧を停止する場合には、リモートコントローラ１２３の終了キー２０４を操作すれば、放送番組のみの画面表示になる。
【００４６】
図６は、以上説明した放送受信装置１００の動作を示すフローチャートである。図６において、ステップＳ６０１で開始され、ステップＳ６０２で放送番組を視聴する。次いで、ステップＳ６０３で、ＳＩを分離／解読し、ステップＳ６０４でＳＩに、関連ウェブページアドレス情報（ＵＲＬ）が含まれているか否かの判定が成され、ＵＲＬが含まれていることが判定されたら、ステップＳ６０５で、関連ウェブページのアドレスを入手できる旨の画面表示を行う。
【００４７】
次いで、ステップＳ６０６でユーザからウェブページ閲覧要求があったか否かの判定がなされ、ユーザから要求があった場合には、ステップＳ６０７で関連ウェブページのＵＲＬを不揮発性メモリ１１６に保存し、ステップＳ６０８でＨＴＭＬブラウザを立ち上げて、ウェブサーバ１２０にアクセスして、保存したＵＲＬの情報をダウンロードし、ステップＳ６０９でそのＵＲＬのページを閲覧する。
【００４８】
次いで、ステップＳ６１０で、ユーザから閲覧終了要求があったか否かの判定がなされ、終了要求があった場合には、ステップＳ６１１で放送番組の表示のみを行い、次いで、ステップＳ６１２で放送番組の視聴を終了するか否かの判定がなされ、終了しない場合には、ステップＳ６０２に戻り、終了する場合には、ステッブＳ６１３で処理を終了する。
【００４９】
以上のように、本発明の放送受信装置によれば、送信局側で、番組に関連するウェブページのアドレス情報を、付加情報としてＳＩに組み込んで伝送し、受信側でそれを受けて、アドレス情報がＳＩに含まれていたら、ユーザにその旨を報知するように構成して、ユーザがそのアドレスのウェブページにアクセスして閲覧することができるようにしたので、特許文献１で開示されている提案のような、関連ウェブページのアドレス情報を纏めたデータデースを備えたサーバが不用になり、関連ウェブページを簡単にかつ確実に閲覧することができるようになるものである。
【００５０】
なお、図１に示す放送受信装置１００は、テレビジョン番組を視聴していない状態でも、ＨＴＭＬブラウザ１１３ｃによって、テレビジョン番組とは関係のないウェブページにアクセスして、それを閲覧することができるが、そのような状態で、テレビジョン番組の視聴を開始した際には、放送番組とは関係のないウェブページがブラウザ１１３ｃで表示されていることになり、したがって、放送番組に関連するウェブページのアドレス情報がＳＩに組み込まれて伝送されても、そのままでは折角の情報を有効活用できなくなる。
【００５１】
そこで、ブラウザ１１３ｃで閲覧中のウェブページのＵＲＬと、ＳＩに組み込まれて伝送される関連ウェブページのＵＲＬを比較して、異なる場合には、閲覧中のウェブページが放送番組とは関係のないウェブページであることをユーザに報知するようにすれば、使い勝手がよくなるものである。
【００５２】
なお、放送番組とは関係のないウェブページが閲覧されている状態としては、前述のようにブラウザを立ち上げて、所望のウェブページにアクセスしているときに、放送放送番組の視聴を開始した場合の他、関連ウェブページのアドレス情報が入手可能であるとのメッセージに基づいて、ウェブページの閲覧を開始したものの、他のウェブページに移ってしまった場合等が挙げられる。
【００５３】
図１のブロック図で説明すると、不揮発性メモリ１１６（あるいはＲＡＭ１１５）には、現在閲覧中のウェブページのＵＲＬが記憶されており、一方で、制御部１１３が、受信したチャンネルの放送信号から、そのＳＩに含まれている関連ウェブページのＵＲＬを取得して、現在閲覧中のウェブページのＵＲＬと比較する。その結果、ＵＲＬが異なる場合に、制御部１１３は、ＯＳＤ信号生成部１０８を駆使して、「現在閲覧中のウェブページは放送番組とは関係ない」旨通知するメッセージ文字列を生成して、これを表示部１１０で表示させるように動作する。
【００５４】
図７は、放送番組とは関係しないウェブページを閲覧中に、表示部１１０で表示されるメッセージの例である。表示画面７０１の、ブラウザ表示７０２に対応して、「このコンテンツは放送番組とは関係ありません」とのメッセージ７０３が表示されている。
【００５５】
図８は、図７で示した動作を改めて説明するためのフローチャートである。ステッブＳ８０１で開始され、ステップＳ８０２でＨＴＭＬブラウザを立ち上げて、ウェブサーバにアクセスする。次いで、ステップＳ８０３でユーザが所望ウェブページの閲覧を行い、ステップＳ８０４で、放送番組の視聴を開始し、ステップＳ８０５で、受信した放送信号からＳＩを分離して解読する。
【００５６】
次いで、ステップＳ８０６でＳＩに関連ウェブページアドレス情報が存在するか否かの判定が成され、アドレス情報が存在する場合、ステップＳ８０７で関連アドレス情報を保存し、ステップＳ８０８で閲覧中のウェブページのアドレスと、ＳＩから取得して保存したアドレスを比較する。
【００５７】
比較の結果、ステップＳ８０９で両アドレスが一致したと判定されたら、ステップＳ８０４に戻って放送番組の視聴を継続し、一致しないと判定されたら、ステップＳ８１０に移って、放送番組とは関係のないウェブページを閲覧している旨画面表示してユーザに報知する。
【００５８】
ついで、ステップＳ８１１で、ユーザからウェブページ閲覧要求があったか否かの判定がなされ、要望があった場合に、ステップＳ８１２でウェブサーバにＳＩから取得してメモリに保存したＵＲＬのウェブページの閲覧を要求して、ステップＳ８１３で放送に関連するウェブページの閲覧を行なって、ステップＳ８１４で処理を終了する。
【００５９】
以上説明した実施の形態によれば、放送番組と関連しないウェブページを閲覧中に、放送番組を構成する信号に多重伝送される付加情報にＵＲＬが含まれていた場合に、閲覧中のＵＲＬと付加情報から取得したＵＲＬとを比較して、一致しない場合に、現在ブラウザで閲覧中のウェブページが、放送番組とは関係しないことをユーザに通知するようにしたので、ユーザは、その通知によって、番組に関連するウェブページへアクセスし直すことが簡単にできるようになるものである。
【００６０】
なお、本発明は、以上示した実施の形態に限定されるものではなく、発明の趣旨を逸脱しない範囲で種々実施することができるものである。例えば、関連ウェブページのアドレスをＩＳに組み込んで送るものとして説明したが、他の付加情報に組み込んで伝送することも可能である。
【００６１】
また、図４に示す関連ウェブページのアドレスを入手可能であるという報知、及び図７に示す閲覧中のウェブページが放送番組とは関係しないという報知は、文字列による画面表示の他、所定の光源を発光させることで報知するようにしてもよく、あるいは音声で報知するように構成することもできるものである。
【図面の簡単な説明】
【００６２】
【図１】本発明に係る放送受信装置の一実施の形態を示す回路ブロック図。
【図２】図１の装置に適用されるリモートコントローラのキー配置の一例を示す図。
【図３】本発明の放送受信装置で受信される放送信号を送信する送信側の回路ブロック図。
【図４】図１の装置の動作を説明するための図。
【図５】図１の装置の動作を説明するための図。
【図６】図１の装置の動作を説明するためのフローチャート。
【図７】図１の装置の他の動作を説明するための図。
【図８】図７で示した図１の装置の動作を説明するためのフローチャート。
【符号の説明】
【００６３】
１００…放送受信装置
１０１…アンテナ
１０２…アンテナ入力端子
１０３…チューナ
１０４…復調部
１０５…デマルチプレクサ
１０６…デコーダ
１０７…重畳部
１０８… ＯＳＤ信号生成部
１０９…映像信号処理部
１１０…表示部
１１１…音声信号処理部
１１２…音声出力部
１１３…制御部
１１４…ＲＯＭ
１１５…ＲＡＭ
１１６…不揮発性メモリ
１１７…通信Ｉ／Ｆ
１１８…通信端子
１１９…インターネット
１２０…ウェブサーバ
１２１…赤外線受光部
１２２…操作入力部
１２３…リモートコントローラ
【図１】
2005192006.tif 000003
【図２】
2005192006.tif 000004
【図３】
2005192006.tif 000005
【図４】
2005192006.tif 000006
【図５】
2005192006.tif 000007
【図６】
2005192006.tif 000008
【図７】
2005192006.tif 000009
【図８】
2005192006.tif 000010